(57)【要約】【課題】  室内の壁面の出隅部の下端に配設してその両側開口端を壁面の下端に沿って施工した配線用幅木の開口端に接合させることにより、内部に室内配線を可能にした配設用出隅部材を提供する。【解決手段】  内部に配線用幅木内の配線収納溝に連通させる配線収納溝３を有する断面縦長長方形状の中空部を設けた平面Ｌ字状の出隅部材主体１の前面に、上記配線収納溝３内に外部から配線の収納を可能にした開口部４を設けていると共に、この出隅部材主体１の前面を平面Ｌ字状に屈曲したカバー部材７によって被覆してあり、このカバー部材７の両側端部を、出隅部材主体１の両側開口端に突き合わせ状に接続させた上記幅木との接合部分を被覆する被覆片部7c、7cに形成していると共に、カバー部材７を出隅部材主体１の前面に沿って上下方向に開閉可能に構成している。【選択図】    図４
2010031548.tif 000002
【特許請求の範囲】
【請求項１】
壁面の出隅部下端に沿って配設する平面Ｌ字状に屈曲した断面縦長長方形状の出隅部材主体と、この出隅部材主体の前面を被覆する平面Ｌ字状に屈曲したカバー部材とからなり、上記出隅部材主体は内部が中空に形成されていて、その中空内部にこの出隅部材主体の両側端面間に亘って連通した配線用収納溝を設けていると共に、中空内部の両側開口端を壁面の平坦な下端に沿って配設する配線用中空幅木の開口端に突き合わせ状に連通させる接続口に形成し、且つ、室内側に面する前面に上記両側開口端に亘って一定の縦幅でもって開口した上記配線用収納溝に通じる配線用開口部を形成している一方、上記カバー部材は、出隅部材主体の前面を全面的に被覆する高さを有していると共にその横幅を出隅部材主体の横幅よりも幅広に形成して出隅部材主体の両側端から突出する一定幅部分を出隅部材主体と上記配線用中空幅木との接続部を被覆する被覆片部としてあり、さらに、このカバー部材を出隅部材主体に対して上下方向に摺動可能に装着していることを特徴とする配線用出隅部材。
【請求項２】
出隅部材主体は、その幅方向の中央部から両側部を後方に向かって屈曲させてなる平面Ｌ字状に形成された縦壁板の上下端に前方に向かって一定幅を有する天面片と底面片を突設していると共に、これらの天面片と底面片との前端にそれぞれ下方と上方に向かって一定高さの上部周壁片と下部周壁片を突設してこれらの上下周壁片と上記縦壁板とで囲まれた断面縦長長方形状の空間部における両側端を配線用中空幅木の開口端に接続させる接続口に形成し、且つ、この空間部内における上記底面片上に上記下部周壁片で囲まれた平面Ｌ字状の配線用収納溝を形成すると共に上下周壁片間の空間部を配線用収納溝に連通した配線用開口部に形成してなる一方、カバー部材は、幅方向の中央部から両側部を後方に屈曲させてなるＬ字状カバー部の上端に出隅部材主体の上記天面片を被覆する一定幅の天面被覆片を後方に向かって突設していると共にこのカバー部材と出隅部材主体とのいずれか一方に縦ガイド溝を、他方にこの縦ガイド溝と上下摺動自在に係合する係合片を設けて、カバー部材を出隅部材主体の前面に沿って上下摺動自在に取り付けていることを特徴とする請求項１に記載の配線用出隅部材。
【請求項３】
出隅部材主体の上下周壁片の両側端を係合片とし、カバー部材の後面両側部にこの係合片に上下摺動自在に係合した縦ガイド溝を設けているガイド片を固着してあり、さらに、このガイド片の下端部に出隅部材主体の天面片の端部下面に当接するストッパを突設していることを特徴とする請求項２に記載の配線用出隅部材。
【請求項４】
壁面の入隅部下端に沿って配設する平面Ｌ字状に屈曲した断面縦長長方形状の入隅部材主体と、この入隅部材主体の前面を被覆する平面Ｌ字状に屈曲したカバー部材とからなり、上記入隅部材主体は内部が中空に形成されていて、その中空内部にこの入隅部材主体の両側端面間に亘って連通した配線用収納溝を設けていると共に、中空内部の両側開口端を壁面の平坦な下端に沿って配設する配線用中空幅木の開口端に突き合わせ状に連通させる接続口に形成し、且つ、室内側に面する前面に上記両側開口端に亘って一定の縦幅でもって開口した上記配線用収納溝に通じる配線用開口部を形成している一方、上記カバー部材は、入隅部材主体の前面を全面的に被覆する高さを有していると共にその横幅を入隅部材主体の横幅よりも幅広に形成して入隅部材主体の両側端から突出する一定幅部分を入隅部材主体と配線用中空幅木との接続部を被覆する被覆片部としてあり、さらに、このカバー部材を入隅部材主体に対して上下方向に摺動可能に装着していることを特徴とする配線用入隅部材。
【請求項５】
入隅部材主体は、その幅方向の中央部から両側部を前方に向かって屈曲させてなる平面Ｌ字状に形成された縦壁板の上下端に前方に向かって一定幅を有する天面片と底面片を突設していると共に、これらの天面片と底面片との前端にそれぞれ下方と上方に向かって一定高さの上部周壁片と下部周壁片を突設してこれらの上下周壁片と上記縦壁板とで囲まれた断面縦長長方形状の空間部における両側端を配線用中空幅木の開口端に接続させる接続口に形成し、且つ、この空間部内における上記底面片上に上記下部周壁片で囲まれた平面Ｌ字状の配線用収納溝を形成すると共に上下周壁片間の空間部を配線用収納溝に連通した配線用開口部に形成してなる一方、カバー部材は、幅方向の中央部から両側部を前方に屈曲させてなるＬ字状カバー部の上端に入隅部材主体の上記天面片を被覆する一定幅の天面被覆片を後方に向かって突設していると共にこのカバー部材と入隅部材主体とのいずれか一方に縦ガイド溝を、他方にこの縦ガイド溝と上下摺動自在に係合する係合片を設けて、カバー部材を入隅部材主体の前面に沿って上下摺動自在に取り付けていることを特徴とする請求項４に記載の配線用入隅部材。
【請求項６】
入隅部材主体の上下周壁片の両側端を係合片とし、カバー部材の後面両側部にこの係合片に上下摺動自在に係合した縦ガイド溝を設けているガイド片を固着してあり、さらに、このガイド片の下端部に入隅部材主体の天面片の端部下面に当接するストッパを突設していることを特徴とする請求項５に記載の配線用入隅部材。
【発明の詳細な説明】
【技術分野】
【０００１】
本発明は室内の壁面における出隅部や入隅部の下端に配設して、その両側開口端に壁面の下端に沿って施工した配線用幅木の開口端を接合させることにより、壁面に沿った配線を可能にする配線用出隅部材及び入隅部材に関するものである。
【背景技術】
【０００２】
近年、5.1 チャンネル等のオーディオ機器の普及に伴い、室内の様々な場所にスピーカー等を設置するケースが増大し、また、オーディオ機器以外にも各種の機器類等の使用が行われるようになり、それに伴ってこれらの機器類に電力を供給するための配線が必要となるが、室内に配線を露出させた状態で巡らせると、室内の外観を著しく損するばかりでなく、足を引っかけたりする虞れがある。
【０００３】
このため、室内の壁面の下端部に接して中空の配線用幅木を取り付け、この幅木内に配線を収納することが行われている。このような配線用幅木としては、例えば、特許文献１に記載されているように、壁面に固定される一定の縦幅を有する長尺の帯板状ベース部の上下端に前方に向かって一定幅の細長い天面片と底面片とを突設すると共に、この底面片の前端縁に上方に向かって適宜高さの翼片を設けて該翼片で囲まれた底面片上の空間部を配線用収納溝部に形成し、さらに、上記天面片と底面片との対向面に係止突片を突設してなる幅木主体と、この幅木主体の前面を被覆する帯板形状のカバー部の後面上下端部に上記係止突片に係脱自在に係止する爪片を後方に向かって突設してなるカバーとからなる幅木が知られている。
【０００４】
そして、使用に際しては、上記カバーを取り外すことによって幅木主体側に設けている上記配線用収納溝部を外部に露出させ、この配線用収納溝部に配線したのち、幅木主体の前面にカバーを装着するように構成している。一方、室内の壁面における入隅や出隅の下端部に、上記配線用幅木の開口端に連通する入隅部や出隅部を設けるには、壁面の隅部下端において直角に対向した配線用幅木の対向端面を突き合わせた状に固定すると共に上記カバーの端部を一定幅だけ切除することによりこれらの配線用幅木におけるこの直角に突き合わせた対向端部を該カバーによって被覆されない間隔部に形成し、この間隔部をキャップ部材で被覆することにより、入隅部や出隅部を構成している。
【０００５】
この場合、上記間隔部に面したキャップ部材の後面上下端部に、上記幅木主体を前面を被覆するカバーと同様に後方に向かって爪片を突設し、この爪片を幅木主体の上記天面片と底面片との対向面に突設している係止突片に係脱可能に係止させることにより、キャップ部材で上記間隔部を被覆している。
【０００６】
【特許文献１】特開２００２−２５６６９０号公報
【発明の開示】
【発明が解決しようとする課題】
【０００７】
しかしながら、上記のような出隅部や入隅部の構造によれば、壁面の出隅、入隅の下端部において、隣接する幅木の開口端部を突き合わせ状に接続して出隅部や入隅部の主体部を構成しなければならないために、その施工に手間を要するばかりでなく、突き合わせ端部が僅かでも上下方向にずれが生じると、直角に連設させた両側の係止突起も上下にずれて、キャップ部材の両側の爪片をこれらの係止突起に正確に係止させることができなくなる虞れがある。
【０００８】
また、キャップ部材を上記出隅部や入隅部の前面に被せて間隔部を被覆するには、その上下爪片を出隅部や入隅部側に設けている上記上下係止突起に対向させた状態にして押し込まなければならず、その際、キャップ部材が水平方向にずれた状態で押し込むと、正確な装着ができなくなるといった問題点が生じる上に、一旦、爪片を係止突起に係止させると、配線時等におけるキャップ部材の取り外し作業に手間を要し、さらに、取り外したキャップ部材を踏みつけたりして破損させる虞れがある。
【０００９】
本発明は上記のような問題点に鑑みてなされたもので、その目的とするところは、室内の壁面の出隅部や入隅部の下端に容易に且つ正確に施工することができると共に配線作業も能率よく行え、且つ、配線箇所を隠蔽するカバー部材を取り外すことなく配線作業を可能にする配線用出隅部材及び入隅部材を提供するにある。
【課題を解決するための手段】
【００１０】
上記目的を達成するために、本発明の配線用出隅部材は、請求項１に記載したように、壁面の出隅部下端に沿って配設する平面Ｌ字状に屈曲した断面縦長長方形状の出隅部材主体と、この出隅部材主体の前面を被覆する平面Ｌ字状に屈曲したカバー部材とからなり、上記出隅部材主体は内部が中空に形成されていて、その中空内部にこの出隅部材主体の両側端面間に亘って連通した配線用収納溝を設けていると共に、中空内部の両側開口端を壁面の平坦な下端に沿って配設する配線用中空幅木の開口端に突き合わせ状に連通させる接続口に形成し、且つ、室内側に面する前面に上記両側開口端に亘って一定の縦幅でもって開口した上記配線用収納溝に通じる配線用開口部を形成している一方、上記カバー部材は、出隅部材主体の前面を全面的に被覆する高さを有していると共にその横幅を出隅部材主体の横幅よりも幅広に形成して出隅部材主体の両側端から突出する一定幅部分を出隅部材主体と上記配線用中空幅木との接続部を被覆する被覆片部としてあり、さらに、このカバー部材を出隅部材主体に対して上下方向に摺動可能に装着してなる構造を有している。
【００１１】
このように構成した配線用出隅部材において、請求項２に係る発明は、上記出隅部材主体は、その幅方向の中央部から両側部を後方に向かって屈曲させてなる平面Ｌ字状に形成された縦壁板の上下端に前方に向かって一定幅を有する天面片と底面片を突設していると共に、これらの天面片と底面片との前端にそれぞれ下方と上方に向かって一定高さの上部周壁片と下部周壁片を突設してこれらの上下周壁片と上記縦壁板とで囲まれた断面縦長長方形状の空間部における両側端を配線用中空幅木の開口端に接続させる接続口に形成し、且つ、この空間部内における上記底面片上に上記下部周壁片で囲まれた平面Ｌ字状の配線用収納溝を形成すると共に上下周壁片間の空間部を配線用収納溝に連通した配線用開口部に形成してなる一方、カバー部材は、幅方向の中央部から両側部を後方に屈曲させてなるＬ字状カバー部の上端に出隅部材主体の上記天面片を被覆する一定幅の天面被覆片を後方に向かって突設していると共にこのカバー部材と出隅部材主体とのいずれか一方に縦ガイド溝を、他方にこの縦ガイド溝と上下摺動自在に係合する係合片を設けて、カバー部材を出隅部材主体の前面に沿って上下摺動自在に取り付けていることを特徴とする。
【００１２】
さらに、請求項３に係る発明は、出隅部材主体の上下周壁片の両側端を係合片とし、カバー部材の後面両側部にこの係合片に上下摺動自在に係合した縦ガイド溝を設けているガイド片を固着してあり、さらに、このガイド片の下端部に出隅部材主体の天面片の端部下面に当接するストッパを突設していることを特徴とする。
【００１３】
また、請求項４に係る発明は配線用入隅部材の構造であって、上記出隅部材と同様に、壁面の入隅部下端に沿って配設する平面Ｌ字状に屈曲した断面縦長長方形状の入隅部材主体と、この入隅部材主体の前面を被覆する平面Ｌ字状に屈曲したカバー部材とからなり、上記入隅部材主体は内部が中空に形成されていて、その中空内部にこの入隅部材主体の両側端面間に亘って連通した配線用収納溝を設けていると共に、中空内部の両側開口端を壁面の平坦な下端に沿って配設する配線用中空幅木の開口端に突き合わせ状に連通させる接続口に形成し、且つ、室内側に面する前面に上記両側開口端に亘って一定の縦幅でもって開口した上記配線用収納溝に通じる配線用開口部を形成している一方、上記カバー部材は、入隅部材主体の前面を全面的に被覆する高さを有していると共にその横幅を入隅部材主体の横幅よりも幅広に形成して入隅部材主体の両側端から突出する一定幅部分を入隅部材主体と配線用中空幅木との接続部を被覆する被覆片部としてあり、さらに、このカバー部材を入隅部材主体に対して上下方向に摺動可能に装着してなる構造を有している。
【００１４】
このように構成した配線用入隅部材において、請求項５に係る発明は、上記入隅部材主体は、その幅方向の中央部から両側部を前方に向かって屈曲させてなる平面Ｌ字状に形成された縦壁板の上下端に前方に向かって一定幅を有する天面片と底面片を突設していると共に、これらの天面片と底面片との前端にそれぞれ下方と上方に向かって一定高さの上部周壁片と下部周壁片を突設してこれらの上下周壁片と上記縦壁板とで囲まれた断面縦長長方形状の空間部における両側端を配線用中空幅木の開口端に接続させる接続口に形成し、且つ、この空間部内における上記底面片上に上記下部周壁片で囲まれた平面Ｌ字状の配線用収納溝を形成すると共に上下周壁片間の空間部を配線用収納溝に連通した配線用開口部に形成してなる一方、カバー部材は、幅方向の中央部から両側部を前方に屈曲させてなるＬ字状カバー部の上端に入隅部材主体の上記天面片を被覆する一定幅の天面被覆片を後方に向かって突設していると共にこのカバー部材と入隅部材主体とのいずれか一方に縦ガイド溝を、他方にこの縦ガイド溝と上下摺動自在に係合する係合片を設けて、カバー部材を入隅部材主体の前面に沿って上下摺動自在に取り付けていることを特徴とする。
【００１５】
さらに、請求項６に係る発明は、入隅部材主体の上下周壁片の両側端を係合片とし、カバー部材の後面両側部にこの係合片に上下摺動自在に係合した縦ガイド溝を設けているガイド片を固着してあり、さらに、このガイド片の下端部に入隅部材主体の天面片の端部下面に当接するストッパを突設していることを特徴とする。
【発明の効果】
【００１６】
請求項１に係る発明によれば、配線用出隅部材は、壁面の出隅部の下端に沿って配設する平面Ｌ字状に屈曲した断面縦長長方形状の出隅部材主体と、この出隅部材主体の前面を被覆する平面Ｌ字状に屈曲したカバー部材とからなるので、平面Ｌ字状に屈曲した出隅部材主体を壁面の出隅部の下端に沿って配置するだけで壁面の出隅部分に簡単且つ正確に取り付けることができるばかりでなく、出隅部材主体は内部が中空に形成されていて、その中空内部にこの出隅部材主体の両側端面間に亘って連通した配線用収納溝を設けていると共に、中空内部の両側開口端を壁面の平坦な下端に沿って配設する配線用中空幅木の開口端に突き合わせ状に連通させる接続口に形成しているので、配線用中空幅木を壁面の下端に沿って配設してその開口端を出隅部材主体の接続口に突き合わせるといった簡単な作業により、配線用中空幅木の施工も能率よく行えると共にその内部の配線空間部と出隅部材主体内の配線用収納溝とを簡単に連通させることができる。
【００１７】
その上、出隅部材主体における室内側に面する前面を、上記両側開口端に亘って一定の縦幅でもって開口した上記配線用収納溝に通じる配線用開口部に形成しているので、この配線用開口部を介して出隅部材主体内の配線用収納溝への配線作業や該配線用収納溝に対する配線の交換、取出作業等を簡単に行うことができる。
【００１８】
さらに、この出隅部材主体の前面を被覆する平面Ｌ字状に屈曲したカバー部材は、出隅部材主体の前面を全面的に被覆する高さを有していると共にその横幅を出隅部材主体の横幅よりも幅広に形成して出隅部材主体の両側端から突出する一定幅部分を出隅部材主体と幅木との接続部を被覆する被覆片部としているので、幅木と出隅部材主体との接続部分がこの被覆片部により隠蔽されて、配線用中空幅木が壁の下端に沿って部屋回りに一連に連続した体裁のよい外観を呈することができるのは勿論、このカバー部材を出隅部材主体に対して上下方向に摺動可能に装着しているので、出隅部材主体の前面に対するこのカバー部材の開閉操作が簡単且つ円滑に行うことができて出隅部材主体の配線用収納溝に対する配線作業等が能率よく行え、その上、カバー部材を取り外すことなく、その下端が出隅部材主体の上端に達した位置で開放状態を保持しておくことができ、従って、カバー部材が踏みつけられたりして破損する虞れをなくすることができる。
【００１９】
なお、請求項４に記載の配線用入隅部材は、この配線用出隅部材に対して、平面Ｌ字状に屈曲した屈曲方向が異なるだけでその他の構造は同一であるから、配線用出隅部材の上記作用効果と同じ作用効果をそのまま奏することができる。
【００２０】
また、請求項２に係る発明によれば、上記出隅部材主体は、その幅方向の中央部から両側部を後方に向かって屈曲させてなる平面Ｌ字状に形成された縦壁板の上下端に前方に向かって一定幅を有する天面片と底面片を突設しているので、全体が剛直性を有して変形が生じ難い優れた保形性を備えていると共に、これらの天面片と底面片との前端にそれぞれ下方と上方に向かって一定高さの上部周壁片と下部周壁片を突設してこれらの上下周壁片と上記縦壁板とで囲まれた断面縦長長方形状の空間部における両側端を配線用中空幅木の開口端に接続させる接続口に形成しているので、接続口を配線用中空幅木の開口端に接合させることによって該配線用中空幅木の中空内部と出隅部材主体内の縦長長方形状の空間部を全面的に連通させることができると共に、出隅部材主体の縦長長方形状の空間部内における上記底面片上に上記下部周壁片で囲まれた平面Ｌ字状の配線用収納溝を形成すると共に上下周壁片間の空間部を配線用収納溝に連通した配線用開口部に形成しているので、配線用開口部からの配線用収納溝に対する配線作業や配線取出し作業が容易に行えると共に、配線用収納溝に収納した配線を下部周壁片によって壁面の出隅に沿った状態に確実に収納、保持しておくことができる。
【００２１】
さらに、上記カバー部材は、幅方向の中央部から両側部を後方に屈曲させてなるＬ字状カバー部の上端に出隅部材主体の上記天面片を被覆する一定幅の天面被覆片を後方に向かって突設していると共にこのカバー部材と出隅部材主体とのいずれか一方に縦ガイド溝を、他方にこの縦ガイド溝と上下摺動自在に係合する係合片を設けて、カバー部材を出隅部材主体の前面に沿って上下摺動自在に取り付けているので、縦ガイド溝とこの縦ガイド溝に摺動自在に係合する係合片とによってカバー部材を出隅部材主体の前面に沿って正確に且つ容易に開閉方向に上下動させることができると共に、閉止した状態においてはカバー部材の上端に後方に向かって突設している天面被覆片が出隅部材主体の天面片上に当接、被覆した状態となって、このカバー部材により出隅部材主体が全面的に隠蔽されたシルプルにして体裁のよい配線収納構造の外観を呈することができる。
【００２２】
請求項３に係る発明によれば、上記出隅部材主体の上下周壁片の両側端を係合片とし、カバー部材の後面両側部にこの係合片に上下摺動自在に係合した縦ガイド溝を設けているガイド片を固着してあり、さらに、このガイド片の下端部に出隅部材主体の天面片の端部下面に当接するストッパを突設しているので、出隅部材主体の上下周壁片の両側端をガイド片の係合片としているから、カバー部材の開閉構造を簡単に構成することができると共に、カバー部材を開方向に上動させて出隅部材主体の前面を大きく開口させた際に、ストッパが出隅部材主体の天面片の端部下面に当接してカバー部材が出隅部材主体から抜け出るのを確実に防止することができ、カバー部材を開放状態に保持させて配線作業が円滑に行うことができる。
【００２３】
一方、入隅部材においても、請求項５、請求項６に係る発明は、上記出隅部材における請求項２、請求項３に係る発明と、平面Ｌ字状に屈曲した屈曲方向が異なるだけでその他の構造は同一であるから、上記請求項２、請求項３の構成による上記作用効果と同じ作用効果をそのまま奏することができる。
【発明を実施するための最良の形態】
【００２４】
次に、本発明を実施するための最良の形態を図面について説明すると、図１は出隅部材を背面側から見た斜視図、図２はその横断面図、図３は配線用中空幅木と共に壁面下端部に施工した状態の斜視図、図４はその施工状態において、カバー部材を取り外した配線用中空幅木とカバー部材を開放させた出隅部材との斜視図であって、出隅部材Ａは、壁面Ｃの出隅部下端に沿って配設する平面Ｌ字状に屈曲した断面縦長長方形状の出隅部材主体１と、この出隅部材主体１の前面を被覆する平面Ｌ字状に屈曲したカバー部材７とからなる。なお、これらの出隅部材主体１とカバー部材７は木質製であっても合成樹脂製であっても、或いはその他の適宜な材料より形成されたものであってもよい。
【００２５】
上記出隅部材Ａの構造を詳述すると、出隅部材主体１は、一定厚みと後述する配線用中空幅木11の高さに等しい高さを有し、且つ、その幅方向の中央部から両側部を後方に向かって直角に屈曲させてなる平面Ｌ字状の縦壁板1aに形成していると共に、この縦壁板1aの上下端に前方に向かって一定幅を有する平面Ｌ字状の天面片1bと底面片1cとを水平に突設してあり、さらに、天面片1bの前端にこの前端縁に沿って水平方向にＬ字状に屈曲した一定高さ（一定長さ）の垂直な上部周壁片1dを下方に向かって突設していると共に、底面片1cの前端に同じくこの前端縁に沿ってＬ字状に屈曲した一定高さの垂直な下部周壁片1eを上方に向かって突設し、これらの上下周壁片1d、1eと上記縦壁板1aと天面片1b及び底面片1cによって囲まれた空間部を断面縦長長方形状の中空内部２に形成している。
【００２６】
さらに、この中空内部２における互いに直角方向に向けている両側端を全面的に開口させて、その開口端を互いに直角に連なる室内壁面の下端に沿って配設される配線用中空幅木11、11の直角に対向した開口端をそれぞれ接続させる接続口2a、2aに形成していると共に、上記底面片1c上に上記下部周壁片1eによって囲まれた平面Ｌ字状の配線用収納溝３を形成している。また、出隅部材主体１の上記縦壁板1aの後面における高さ方向の中央部にも、上記天面片1b、底面片1cと同一幅で同一形状の平面Ｌ字状の中間水平片1fを前方に向かって突設していると共にこの中間水平片1fの前端に同じくＬ字状に屈曲した一定高さの垂直な中間部周壁片1gを上方に向かって突設し、中間水平片1f上に中間部周壁片1gによって囲まれた平面Ｌ字状の配線用収納溝3'を形成している。従って、上記底面片1c上に下部周壁片1eによって囲まれた平面Ｌ字状の配線用収納溝３を下側配線用収納溝とし、この配線用収納溝の上方に上記配線用収納溝3'を上側配線用収納溝として配設している。
【００２７】
また、上記上部周壁片1dの下端面と中間部周壁片1gの上端面間の空間部、及び、この中間部周壁片1gの下端と上記下部周壁片1eの上端面との間の空間部をそれぞれの配線用収納溝３、3'に連通し、且つ、前方に向かった開口した上下配線用開口部４、4'に形成している。なお、これらの上下配線用収納溝３、3'の互いに直角方向に向けて両側端は、外側方に向かって全面的に開口している。さらに、上記天面片1bの両側端と上部周壁片1dの両側端部における上端との連設部を切除５して上部周壁片1dの両側端部をこの切除部５に対して外側方に突出させていると共に中間水平片1fの両側端部を切除5aしてその切除部5aに対して中間部周壁片1gの両側端部を外側方に突出させてあり、垂直線上に連なるこれらの突出側端部と上記下部周壁片1eの両側端部とで、カバー部材７の後面両側部に固着している後述するガイド片８、８を上下摺動自在に案内する係合片６、６に形成している。さらに、上記切除部５から外側方に突出する上記天面片1bの両側端部を後述するストッパ10に係止する係止突片部1b' 、1b' に形成している。
【００２８】
一方、上記カバー部材７は、その高さが出隅部材主体１の高さに略等しく、横幅が出隅部材主体１の横幅よりも幅広く、一定厚みを有し、その幅方向の中央部から両側部を後方に向かって直角に屈曲させてなり、出隅部材主体１の前面を全面的に被覆する大きさの平面Ｌ字状に形成されたカバー部7aと、このカバー部7aの上端に後方に向かって出隅部材主体１の上記天面片1bと略同一幅で該天面片1bを被覆する一定幅の平面Ｌ字状の天面被覆片7bとを一体に設けてなり、出隅部材主体１の両側端から一定幅でもって突出するこれらのカバー部7aと天面被覆片7bとの両側端部を出隅部材主体１と配線用中空幅木11との接続部の前面と上面を被覆する被覆片部7c、7cとしている。
【００２９】
このように構成したカバー部材７は、出隅部材主体１に対して上下方向に摺動自在に装着している。具体的には、このカバー部材７におけるカバー部7aの後面両側部に、垂直棒状のガイド片８、８を固着して、このガイド片８、８の対向する垂直面に上記出隅部材主体１の上下周壁片1d、1e及び中間部周壁片1gの両側端部によって形成された係合片６、６に上下摺動自在に係合した縦ガイド溝９、９を設けてなるものである。さらに、ガイド片８、８の後端面における下端部に後方に向かって一定高さを有するストッパ10、10を突設している。なお、出隅部材主体１に対するカバー部材７の上下動手段は、上記構造に限定されることなく、カバー部材７と出隅部材主体１とのいずれか一方に縦ガイド溝９を、他方にこの縦ガイド溝９と上下摺動自在に係合する係合片６を設けておけばよい。
【００３０】
以上のように構成した出隅部材Ａは、室内に面している壁面Ｃの出隅部C1の下端部前面に当てがった状態にして接着剤や或いはビス等によって固定する一方、この出隅部材Ａを介して直角に連なる壁面の下端に配線用中空幅木11、11を沿わせて、出隅部材主体１の互いに直角方向に向けている接続口2a、2aにこれらの配線用中空幅木11、11の開口端面を突き合わせて接合し、この状態にして壁面下端に固定する。なお、出隅部材主体１の接続口2aに配線用中空幅木11の開口端面を接合する際に、出隅部材Ａのカバー部材７を、その後面両側部に設けているガイド片８、８の縦ガイド溝９を出隅部材主体１の両側端に設けている係合片６、６に沿って、ガイド片８の下端部に設けているストッパ10、10が天面片1bの両側端部に形成している係止突片部1b' 、1b' の係止するまで上方に摺動させておき、出隅部材主体１の接続口2aと配線用中空幅木11の開口端面とを接合させたのち、カバー部材７を下方に摺動させて出隅部材主体１の前面を閉止させれば、このカバー部材７の両側被覆片部7c、7cによってその接合部分が全面的に被覆、隠蔽される。
【００３１】
上記配線用中空幅木11は図５、図６に示すように、その断面形状を上記出隅部材主体１と同一大きさ、同一断面形状に形成されている幅木本体11a と、この幅木本体11a の前面に開閉自在に装着された幅木カバー11b とから構成されている。即ち、幅木本体11a は、出隅部材主体１の縦壁板1aと同一高さで同一厚みの帯板材よりなる壁面板11a1と、この壁面板11a1の上下端に前方に向かって上記出隅部材主体１の天面片1bと底面片1cにそれぞれ同一幅の天面部11a2と底面部11a3とを突設している共に、天面部11a2の前端から下方に向かって幅木カバー11b の上端後面に突設している係合突片15を水平方向に摺動可能に係合させる突条部12を一体に設けている。
【００３２】
さらに、上記底面部11a3の前端に上方に向かって一定高さを有する仕切り片13を突設してこの仕切り片13により囲まれた底面部11a3上を上記出隅部材主体１の下側配線用収納溝３に連通する真っ直ぐな配線用収納溝14に形成している。また、壁面板11a1の前面における縦幅方向の中間部に、上記出隅部材主体１の上側配線用収納溝3'に連通する真っ直ぐな配線用収納溝14' を形成している。
【００３３】
幅木カバー11b はその後面における下端部に後方に向かって下側係合突片16を突設してあり、この下側係合突片16を、幅木本体11a の底面部11a3の前端に上方に向かって突設している上記仕切り片13の下端部に前方に向かった開口した断面コ字条の係合溝17に係脱可能に係合させるように構成している。
【００３４】
そして、配線作業や配線除去作業等を行う際には、配線用中空幅木11、11側においては、幅木カバー11b の下端に指先を引っ掛けて手前に引き寄せることにより、幅木本体1aの天面部11a2に設けている突条部12に係合した上側係合突片15を支点として下側係合突片16を係合溝17から離脱させて幅木カバー11b を取り外し、配線用収納溝14、14' を外部に露出させる。一方、出隅部材Ａ側においては、上述したようにカバー部材７を引き上げて、ストッパ10が天面片1bの両端係止突片部1b’の下面に当接、受止させた状態にする。しかるのち、互いに連通している下側配線用収納溝３、14と上側配線用収納溝3'、14' に配線や配線交換等を行う。この作業が終了すれば、幅木カバー11b を幅木本体11a の前面に押しつけるようにしてその上下係合突片15、16を幅木本体11a の突条部12と係合溝17にそれぞれ係合させることにより幅木本体11a の前面を閉止する一方、出隅部材Ａのカバー部材７を押し下げることにより、出隅部材主体１の前面を閉止する。
【００３５】
次に、壁面の入隅部分に配設する入隅部材Ｂについて説明する。入隅部材Ｂは出隅部材Ａと前後反対側に直角に屈曲した形状を有している以外は、出隅部材Ａと略同一構造に構成されている。即ち、図７は入隅部材を背面側から見た斜視図、図８はその横断面図、図９は配線用中空幅木と共に壁面下端部に施工した状態の斜視図、図10はその施工状態において、カバー部材を取り外した配線用中空幅木とカバー部材を開放させた入隅部材との斜視図であって、入隅部材Ｂは、壁面Ｃの入隅部下端に沿って配設する平面Ｌ字状に屈曲した断面縦長長方形状の入隅部材主体１と、この入隅部材主体１の前面を被覆する平面Ｌ字状に屈曲したカバー部材７とからなる。なお、この入隅部材Ｂにおいて出隅部材Ａに対応する部分には出隅部材Ａと同一符号を付して説明する。
【００３６】
上記入隅部材Ｂの構造を詳述すると、入隅部材主体１は、一定厚みと配線用中空幅木11の高さに等しい高さを有し、その幅方向の中央部から両側部を前方に向かって直角に屈曲させてなる平面Ｌ字状の縦壁板1aに形成していると共に、この縦壁板1aの上下端に前方に向かって一定幅を有する平面Ｌ字状の天面片1bと底面片1cとを水平に突設してあり、さらに、天面片1bの前端にこの前端縁に沿って水平方向にＬ字状に屈曲した一定高さ（一定長さ）の垂直な上部周壁片1dを下方に向かって突設していると共に、底面片1cの前端に同じくこの前端縁に沿って水平方向にＬ字状に屈曲した一定高さの垂直な下部周壁片1eを上方に向かって突設し、これらの上下周壁片1d、1eと上記縦壁板1aと天面片1b及び底面片1cによって囲まれた空間部を断面縦長長方形状の中空内部２に形成している。
【００３７】
さらに、この中空内部２における互いに直角方向に向けている両側端を全面的に開口させて、その開口端を互いに直角に連なる室内壁面の下端に沿って配設される配線用中空幅木11、11の直角に対向した開口端をそれぞれ接続させる接続口2a、2aに形成していると共に、上記底面片1c上に上記下部周壁片1eによって囲まれた平面Ｌ字状の配線用収納溝３を形成している。また、入隅部材主体１の上記縦壁板1aの後面における高さ方向の中央部にも、上記天面片1b、底面片1cと同一幅で同一形状の平面Ｌ字状の中間水平片1fを前方に向かって突設していると共にこの中間水平片1fの前端に同じくＬ字状に屈曲した一定高さの垂直な中間部周壁片1gを上方に向かって突設し、中間水平片1f上に中間部周壁片1gによって囲まれた平面Ｌ字状の配線用収納溝3'を形成している。
【００３８】
また、上記上部周壁片1dの下端面と中間部周壁片1gの上端面間の空間部、及び、この中間部周壁片1gの下端と上記下部周壁片1eの上端面との間の空間部をそれぞれの配線用収納溝３、3'に連通し、且つ、前方に向かった開口した上下配線用開口部４、4'に形成している。さらに、上記天面片1bの両側端と上部周壁片1dの両側端部における上端との連設部を切除５（図７に示す）して上部周壁片1dの両側端部をこの切除部５に対して外側方に突出させていると共に中間水平片1fの両側端部を切除5a（図10に示す）してその切除部5aに対して中間部周壁片1gの両側端部を外側方に突出させてあり、垂直線上に連なるこれらの突出側端部と上記下部周壁片1eの両側端部とで、カバー部材７の後面両側部に固着している後述するガイド片８、８を上下摺動自在に案内する係合片６、６に形成している。さらに、上記切除部５から外側方に突出する上記天面片1bの両側端部を後述するストッパ10に係止する係止突片部1b' 、1b' （図７に示す）に形成している。
【００３９】
一方、上記カバー部材７は、その高さが入隅部材主体１の高さに略等しく、横幅が入隅部材主体１の横幅よりも幅広い一定厚みを有し、その幅方向の中央部から両側部を前方に向かって直角に屈曲させてなる入隅部材主体１の前面を全面的に被覆する大きさの平面Ｌ字状に形成されたカバー部7aと、このカバー部7aの上端に後方に向かって入隅部材主体１の上記天面片1bを被覆する平面Ｌ字状の天面被覆片7bとを一体に設けてなり、入隅部材主体１の両側端から一定幅でもって突出するこれらのカバー部7aと天面被覆片7bとの両側端部を入隅部材主体１と配線用中空幅木11との接続部の前面と上面を被覆する被覆片部7c、7cとしている。
【００４０】
このように構成したカバー部材７は、入隅部材主体１に対して上下方向に摺動自在に装着している。具体的には、このカバー部材７におけるカバー部7aの後面両側部に、垂直棒状のガイド片８、８を固着して、このガイド片８、８の対向する垂直面に上記出隅部材主体１の上下周壁片1d、1e及び中間部周壁片1gの両側端部によって形成された係合片６、６に上下摺動自在に係合した縦ガイド溝９、９を設けてなるものである。さらに、ガイド片８、８の後端面における下端部に後方に向かって一定高さを有するストッパ10、10を突設している。なお、入隅部材主体１に対するカバー部材７の上下動手段は、上記構造に限定されることなく、カバー部材７と入隅部材主体１とのいずれか一方に縦ガイド溝９を、他方にこの縦ガイド溝９と上下摺動自在に係合する係合片６を設けておけばよい。
【００４１】
以上のように構成した入隅部材Ｂは、室内に面している壁面Ｃの入隅部C2の下端部前面に当てがった状態にして接着剤や或いはビス等によって固定する一方、この入隅部材Ｂを介して直角に連なる壁面の下端に配線用中空幅木11、11を沿わせて、出隅部材主体１の互いに直角方向に向けている接続口2a、2aにこれらの配線用中空幅木11、11の開口端面を突き合わせて接合し、この状態にして壁面下端に固定する。この入隅部材Ｂと配線用中空幅木11との接合部分は、上述したようにカバー部材７の両側被覆片部7c、7cによって全面的に被覆、隠蔽される。なお、上記配線用中空幅木11の具体的な構造については図５、図６に基づいて説明した構造と同じであり、さらに、この入隅部材Ｂや配線用中空幅木11に対する配線作業等も上記出隅部材Ａにおける場合と同じであるので、その説明を省略する。  
【００４２】
なお、以上の実施例においては、出隅部材Ａと入隅部材Ｂのいずれも、直角に屈曲（屈折）させた構造としているが、直角に限らず、室内壁面の出隅、入隅の角度に応じた屈曲度に形成しておけばよい。
【図面の簡単な説明】
【００４３】
【図１】出隅部材を背面側から見た斜視図。
【図２】その横断面図。
【図３】施工状態を示す斜視図。
【図４】カバー部材を開放させた状態の斜視図。
【図５】配線用中空幅木の一部分の斜視図。
【図６】幅木カバーを取り外した状態の一部の斜視図。
【図７】入隅部材を背面側から見た斜視図。
【図８】その横断面図。
【図９】施工状態を示す斜視図。
【図１０】カバー部材を開放させた状態の斜視図。
【符号の説明】
【００４４】
Ａ  出隅部材
Ｂ  入隅部材
１  出隅部材主体（出隅部材主体）
1a  縦壁板
1b  天面片
1c  底面片
1d、1e  周壁片
２  中空内部
2a  接続口
３  配線用収納溝
４  配線用開口部
６  係合片
７  カバー部材
８  ガイド片
９  縦ガイド溝
10  ストッパ
11  配線用中空幅木
【図１】
2010031548.tif 000003
【図２】
2010031548.tif 000004
【図３】
2010031548.tif 000005
【図４】
2010031548.tif 000006
【図５】
2010031548.tif 000007
【図６】
2010031548.tif 000008
【図７】
2010031548.tif 000009
【図８】
2010031548.tif 000010
【図９】
2010031548.tif 000011
【図１０】
2010031548.tif 000012